(57)【要約】【課題】複数の国又は地域に対応させるために生じる製造工程上の負担を軽減すると共に、使用者が印画紙に印刷される証明写真のサイズを容易に設定可能な、証明写真用の記録画像を作成する撮像装置を提供する。【解決手段】本発明の撮像装置は、撮影画像から抽出した抽出画像を縮小して、前記抽出画像が１又は複数の領域に形成された記録用画像を作成する撮像装置において、表示部に表示される画面の表記言語を、複数の言語から選択可能であり、選択された言語に応じて、前記１又は複数の領域の大きさを決定することを特徴とする。本発明によれば、撮像装置の使用者が表記言語を設定することで、その使用者が属する国又は地域で採用されている証明写真サイズで、抽出画像が印画紙に印刷されるように、適切な大きさで抽出画像が形成された記録用画像が作成される【選択図】図６
2005303404.tif 000002
【特許請求の範囲】
【請求項１】
撮影画像から抽出した抽出画像を縮小して、前記抽出画像が１又は複数の領域に形成された記録用画像を作成する撮像装置において、
表示部に表示される画面の表記言語を、複数の言語から選択可能であり、
選択された言語に応じて、前記１又は複数の領域の大きさを決定することを特徴とする撮像装置。
【請求項２】
前記表示部には、前記表記言語の選択用画面を表示し、前記選択用画面を用いて選択された前記言語の情報を、書換え可能な不揮発性の記憶手段に記憶し、前記情報を参照することにより、前記１又は複数の領域の大きさを決定する、請求項１に記載の撮像装置。
【請求項３】
ある言語が選択されると、前記抽出画像が２以上の領域に形成された前記記録用画像を作成し、これら領域の大きさは、少なくとも２以上の夫々異なる大きさを含む、請求項１又は請求項２に記載の撮像装置。
【請求項４】
前記抽出画像は、各大きさで複数の領域に形成される、請求項３に記載の撮像装置。
【発明の詳細な説明】
【技術分野】
【０００１】
本発明は、撮影した画像をデジタルデータとして記録するデジタルカメラ等の撮像装置に関しており、より詳細には証明写真用の記録画像を作成する撮像装置に関する。
【背景技術】
【０００２】
撮影した画像をデジタルデータとして記録する撮像装置の大きな特徴の一つは、使用者が印画紙に画像を容易に印刷できることである。通常、このような撮像装置は、パーソナルコンピュータに接続可能であり、該コンピュータに接続されたプリンタを用いて、使用者は、撮像装置に記録した画像を印刷する。また、近年、ＰｉｃｔＢｒｉｄｇｅに対応した撮像装置及びプリンタも普及しつつあり、より手軽に画像の印刷が可能になっている。なお、ＰｉｃｔＢｒｉｄｇｅは、撮像装置に記録した画像をパーソナルコンピュータを介さずに直接印刷するために定められたアプリケーションレベルでの標準規格である。
【０００３】
従来は、証明写真を得るために、駅等に設置してある証明写真用の自動撮影装置や専門業者を利用する必要があったが、上記のような撮像装置、さらにはプリンタの普及に伴って、撮像装置の使用者が、自ら証明写真を得ることが可能になっている。例えば、撮影画像から人物の顔が写った領域を抽出して、証明写真サイズの画像として印画紙に印刷するプリンタ等が存在している。
【０００４】
一方、撮影した人物の画像を証明写真サイズで印画紙に印刷するために、証明写真用の記録画像を作成する撮像装置も存在する。プリンタで画像を加工して証明写真を印刷する場合、人物の顔を含む領域が適切に抽出されずに構図の悪い証明写真が印刷される可能性があるが、このような撮像装置を用いると、ＥＶＦ(Electronic View Finder)に証明写真用のガイドパターンを表示させることによって、構図の良い証明写真が得られる利点がある(特許文献１参照)。
【特許文献１】特開２００２−２９０７８０号
【発明の開示】
【発明が解決しようとする課題】
【０００５】
周知のように、証明写真のサイズは、国又は地域によって様々である。従って、証明写真用の記録画像を作成する撮像装置が、複数の国又は地域で販売若しくは使用される場合、その撮像装置は、販売若しくは使用される国又は地域で採用されているサイズに対応している必要がある。従来の撮像装置では、各々の国又は地域用に作成されたファームウェアが搭載されることによって、撮像装置は、販売若しくは使用される国又は地域で採用されているサイズに対応していた。しかしながら、このような構成は、製造工程において複数のファームウェアを準備する必要があるので、製造者にとって負担となっていた。
【０００６】
使用者が証明写真のサイズを自由に設定できるように、又は、使用される可能性のある全ての候補からサイズを選択できるように、撮影装置を構成することは可能である。しかしながら、証明写真のサイズは、撮像装置が販売若しくは使用される国又は地域で限られた種類しかないのであるから、サイズの設定又は選択の自由度を過度に使用者に与える事は、逆に使用者に不要な労力を強いることになり、また、使用者を混乱させる事態を招いてしまう。
【０００７】
本発明は、上記の問題を解決するものであり、複数の国又は地域に対応させるために生じる製造工程上の負担を軽減すると共に、使用者が印画紙に印刷される証明写真のサイズを容易に且つ適切に設定可能な、証明写真用の記録画像を作成する撮像装置を提供する。
【課題を解決するための手段】
【０００８】
本発明の撮像装置は、撮影画像から抽出した抽出画像を縮小して、前記抽出画像が１又は複数の領域に形成された記録用画像を作成する撮像装置において、表示部に表示される画面の表記言語を、複数の言語から選択可能であり、選択された言語に応じて、前記１又は複数の領域の大きさを決定することを特徴とする。
【０００９】
さらに、本発明の撮像装置は、前記表示部には、前記表記言語の選択用画面を表示し、前記選択用画面を用いて選択された前記言語の情報を、書換え可能な不揮発性の記憶手段に記憶し、前記情報を参照することにより、前記１又は複数の領域の大きさを決定する。
【００１０】
また、本発明の撮像装置は、ある言語が選択されると、前記抽出画像が２以上の領域に形成された前記記録用画像を作成し、これら領域の大きさは、少なくとも２以上の夫々異なる大きさを含む。
【発明の効果】
【００１１】
一般に撮像装置の表示部には、各種メニュー画面や設定画面等が表示されるが、本発明の撮像装置は、その表記言語を複数の言語から選択でき、選択された言語に応じて、記録手段に記録する記録用画像における抽出画像の領域の大きさを決定する。周知のように、国又は地域と言語とは密接な関係がある。従って、本発明によれば、撮像装置の使用者が表記言語を設定することで、その使用者が属する国又は地域で採用されている証明写真サイズで、抽出画像が印画紙に印刷されるように、適切な大きさで抽出画像が形成された記録用画像が作成される。また、本発明によれば、撮像装置の製造者は、１種類のファームウェアで複数の国又は地域に対応できるので、製造工程上の負担が軽減される。
【００１２】
抽出画像が記録用画像にて、２以上の領域に形成される場合、これら領域の大きさは、少なくとも２以上の夫々異なる大きさを含むようにすると、１度の撮影で、抽出画像が２以上の証明写真サイズで印画紙に印刷されるように記録用画像を作成できる。なお、使用者の撮影回数を減らすために、抽出画像は、各大きさで複数の領域に形成されることが好ましい。
【発明を実施するための最良の形態】
【００１３】
以下、本発明の電子装置を図を用いて説明する。なお、デジタルスチルカメラ(以下、単に「デジタルカメラ」と称す)を実施例として以下の説明を行うが、本発明は、デジタルカメラに限定されるものではなく、静止画像の撮影機能を具えるデジタルビデオカメラ等の撮像装置にも適用可能である。
【００１４】
図１は、本発明の一実施例であるデジタルカメラ(1)の概要を示すブロック図である。デジタルカメラ(1)は、少なくとも撮影モード又は再生モードの何れか一方の動作モードで動作する。基本的に、撮影モードは、被写体を撮影して画像を記録する動作モードであり、再生モードは、記録された画像を表示部又は外部装置等に出力する動作モードである。撮影モードでは、フォーカスレンズやズームレンズ等で構成される集光手段(2)を通じて被写体から送られた光が、ＣＣＤ(Charge Coupled Device)等を用いたイメージセンサ(3)に入射される。イメージセンサ(3)は、タイミングジェネレータ(4)から送られるタイミング信号に基づいて、格子状に配置された画素(素子)に電荷を蓄積すると共に、一部の画素に蓄積された電荷の取出しを繰り返して行う。
【００１５】
イメージセンサ(3)からは、１フレーム分の画像信号が所定の周期で出力されて、ＣＤＳ(Correlated Double Sampling)/ＡＧＣ(Auto Gain Control)回路(5)にて、相関二重サンプリング及びゲイン調整等が施される。その後、画像信号は、アナログ−デジタル変換回路(6)でデジタル画像データに変換された後、信号処理回路(7)に入力される。 信号処理回路(7)では、画像データに対して、ガンマ補正、ホワイトバランス調整、及びＲＧＢ−ＹＵＶ変換処理等が施される。
【００１６】
信号処理回路(7)から出力された画像データは、メモリコントローラ(8)を介してＳＤＲＡＭ(9)に一旦記憶される。ＳＤＲＡＭ(9)には、第１記憶領域及び第２記録領域が設けられており、信号処理回路(7)からの画像データは、第１記憶領域に記憶される。なお、第２記憶領域は、後述する証明写真用の記録画像データを作成するために使用される。
【００１７】
画像データは、ＳＤＲＡＭ(9)から適宜読み出されてビデオエンコーダ(10)に入力される。ビデオエンコーダ(10)は画像データをＮＴＳＣ方式等のコンポジット画像信号に変換して、表示部たるＬＣＤモニタ(11)に出力する。ＬＣＤモニタ(11)は、記録媒体に記録した画像データの出力や各種設定画面の表示等に使用されると共に、ＥＶＦ(Electronic View Finder)として機能する。撮影モードでは、上記のようにイメージセンサ(3)から出力された一連の画像信号が処理されて、ＬＣＤモニタ(11)に、所謂スルー画像が表示される。
【００１８】
デジタルカメラの使用者は、ＬＣＤモニタ(11)に表示されたスルー画像を見ながら、適当なタイミングで、レリーズ釦(12)を押下する。レリーズ釦(12)の押下はシステムコントローラ(13)にて検知され、それを通知する信号がシステムコントローラ(13)からＣＰＵ(14)に送られる。ＣＰＵ(14)からタイミングジェネレータ(4)に、イメージセンサ(3)の全画素から電荷を読み出すように指示が送られると、タイミングジェネレータ(4)は、これに応じたタイミング信号をイメージセンサ(3)に出力する。そして、イメージセンサ(3)にて、電荷の蓄積と全画素の電荷の読出しが行われ、スルー画像の画像信号よりも解像度の高い(画素数の多い)画像信号が、イメージセンサ(3)から出力される。
【００１９】
イメージセンサ(3)から出力された画像信号は、上記と同様に処理されて画像データとしてＳＤＲＡＭ(9)の第１記憶領域に一旦記憶された後、ＪＰＥＧコーデック部(15)に送られる。ＪＰＥＧコーデック部(15)では、ＪＰＥＧ(Joint Photographic Expert Group)方式に基づいて、画像データに圧縮処理が施される。撮影された画像は、圧縮された画像データとして、メモリインターフェイス(16)を介して記録媒体たるメモリカード(17)に記録される。メモリカード(17)は、デジタルカメラ(1)に挿脱自在に設けられており、例えば、ＳＤメモリカード(登録商標)やメモリスティック(登録商標)等が用いられる。
【００２０】
再生モードでは、メモリカード(17)に記録された画像、即ち画像データが読み出されて、ＳＤＲＡＭ(9)に一旦記憶された後、ＪＰＥＧコーデック部(15)に送られる。ＪＰＥＧコーデック部(15)では、ＪＰＥＧ方式に基づいて、画像データに伸長処理が施される。伸長処理が行われた画像データは、ビデオエンコーダ(10)に送られて、ＬＣＤモニタ(11)には、該画像データに基づいて画像が表示される。
【００２１】
ＣＰＵ(14)は、上記のようにタイミングジェネレータ(4)、信号処理回路(7)及びメモリコントローラ(8)等の制御等を行う。なお、デジタルカメラ(1)には図示を省略したＲＯＭ及びＲＡＭが設けられており、該ＲＯＭには各種制御用プログラム等が記憶され、ＲＡＭには、ＣＰＵ(14)にて実行されるプログラムや演算に用いる数値等が一時的に記憶される。システムコントローラ(13)には、マイクロコンピュータが用いられており、デジタルカメラ(1)の動作に必要な、キー入力処理等の基本的な処理を行う。システムコントローラ(13)には、上述したようにレリーズ釦(12)が接続されており、さらには、メインスイッチ(18)、メニュー釦(19)、４方向釦(20)及びセット釦(21)が接続されている。
【００２２】
メインスイッチ(18)は、例えば切替式のスイッチであり、これを操作することにより、撮影モード若しくは再生モードでの動作、又は電源のオフが行われる(図４(a)及び(b)参照)。メインスイッチ(18)は、電源オフの位置から撮影モード又は再生モードの位置に切り替えられると、システムコントローラ(13)は、内蔵バッテリに接続された電源回路(共に、図示省略)を制御し、ＣＰＵ(14)、イメージセンサ(3)、信号処理回路(7)及びＬＣＤモニタ(11)等のデジタルカメラ(1)の構成要素に給電が行われて、デジタルカメラ(1)の電源がオンになる。さらに、デジタルカメラ(1)は、メインスイッチ(18)の位置に応じて撮影モード又は再生モードで動作する。メインスイッチ(18)が、撮影モード又は再生モードから電源オフに切り替えられると、システムコントローラ(13)は、電源回路を制御して、デジタルカメラ(1)の構成要素への給電を停止させる。なお、システムコントローラ(13)は、電源回路を介してバッテリより常時給電されている。
【００２３】
メニュー釦(19)は、各種メニュー画面や設定画面等をＬＣＤモニタ(11)に表示させるために使用される。メニュー釦(19)が押されるとこれら画面が表示され、メニュー釦(19)が押される毎に、表示される画面の種類が切り替わる。再生モードにてメニュー釦(19)が適当な回数だけ押されると、図２に示すように、メニュー画面の一つである再生モードオプション画面(31)がＬＣＤモニタ(11)に表示される。４方向釦(20)は、ＬＣＤモニタ(11)に出力する画像データの選択や、各種メニュー画面や設定画面上にて選択項目の選択等を行うために使用される。再生モードオプション画面(31)には、選択可能な各種項目と、現在指定している項目を示す三角マーク(32)とが示されており、三角マーク(32)は、４方向釦(20)を操作することで任意の項目の横に移動する。セット釦(21)は、項目の選択の確定に使用される。例えば、図２に示す再生モードオプション画面(31)にて、項目「日付時刻」の横に三角マーク(32)を移動させて、セット釦(21)を押すと、日付時刻設定画面がＬＣＤモニタ(11)に表示される。また、図２に示すように、項目「言語選択」の横に三角マーク(32)を移動させて、セット釦(21)を押すと、図３に示す言語選択画面(33)がＬＣＤモニタ(11)に表示される。
【００２４】
言語選択画面(33)は、ＬＣＤモニタ(11)に表示される各種メニュー画面や設定画面における表記言語を選択するために使用される。例えば、図２に示す再生モードオプション画面(31)は各項目が日本語表記されているが、図３に示すように項目「ＥＮＧＬＩＳＨ」の横に三角マーク(34)を移動させて、セット釦(21)を押すと、再生モードオプション画面(31)の各項目は英語で表記される(その他のメニュー画面や設定画面も英語で表記される)。選択された言語を含む各種設定内容は、書換え可能な不揮発性の記憶手段であるフラッシュメモリ(22)に記憶される。
【００２５】
ＣＰＵ(14)からの指令に応じて、ＯＳＤ部(23)は、各種メニュー画面や設定画面等を表示するために必要な文字やアイコン等のキャラクタデータを発生する。ＯＳＤ部(23)にて発生したキャラクタデータは、ビデオエンコーダ(10)にて、画像データに重畳され又は画像データと置き換えられて、ＬＣＤモニタ(11)にてメニュー画面、設定画面や後述する証明写真用枠等が表示される。
【００２６】
デジタルカメラ(1)は、ＵＳＢインターフェイス(24)及びＵＳＢコントローラ(25)を具えており、プリンタ等の外部装置とＵＳＢを用いて通信接続される。これにより、デジタルカメラ(1)のメモリカード(17)に記録された画像データを、パーソナルコンピュータを介してプリンタに、又は直接プリンタに出力することが可能になっている。ＵＳＢインターフェイス(24)は、具体的にはＵＳＢレセプタクルであって、ＵＳＢケーブルの一端に設けられたＵＳＢプラグが挿入される。ＵＳＢコントローラ(25)は、外部装置との間で行われる通信を制御する。
【００２７】
撮影モードにてメニュー釦(19)が適当な回数だけ押されると、ＬＣＤモニタ(11)にて撮影モードメニュー画面が表示される(図示省略)。 撮影モードメニュー画面は、撮影モード下において選択可能な各種モードを選択するためのメニュー画面であり、該画面にて、使用者が証明写真撮影モードを選択すると、デジタルカメラ(1)は、撮影モード下において証明写真撮影モードで動作する。図４(a)に示すように、証明写真撮影モードでは、スルー画像に重畳して、ＬＣＤモニタ(11)の表示領域の略中央に証明写真用枠(41)が表示される。
【００２８】
デジタルカメラ(1)は、画像データの縮小(間引き)又は拡大(補間)処理を行う変倍回路(26)を具えている。証明写真撮影モードでは、撮影画像から証明写真用枠(41)内の(又はほぼ証明写真用枠(41)内の)画像が抽出されて、縮小される。即ち、撮影画像の画像データ(以下、「撮影画像データ」と称す)から、証明写真用枠(41)内の画像に対応する(又はほぼ対応する)データが取り出されて、変倍回路(26)にて縮小処理される。そして、縮小処理後のデータを用いて、証明写真用の記録画像、即ち記録画像データが作成され、メモリカード(17)に記録される。図４(b)は、再生モードにて、デジタルカメラ(1)のＬＣＤモニタ(11)に、記録画像データに基づいて記録画像が表示された状態を示す。記録画像の背景色は白色となっており、記録画像には、抽出画像が合計６つの領域に形成されている。また、記録画像データは、プリンタ等の印刷手段において、抽出画像が、証明写真サイズで所定の印画紙に印刷されるように作成される。
【００２９】
本実施例のデジタルカメラ(1)の特徴は、図３で示した言語選択画面(33)を用いて言語を選択すると、その選択された言語に応じて、記録画像における抽出画像の大きさを決定することである。日本では、一般的に使用される証明写真のサイズは、４０×３０ｍｍ及び３０×２４ｍｍであり、Ｌ版サイズの印画紙がプリンタで一般的に使用されている。これらの事情に鑑みて、本実施例のデジタルカメラ(1)では、日本語が表記言語として選択されている場合、図５(a)に示すように、Ｌ版の印画紙(51)に記録画像を印刷すると、上段にて４０×３０ｍｍサイズの抽出画像、即ち証明写真(52)が３箇所に、下段にて３０×２４ｍｍサイズの証明写真(53)が３箇所に印刷されるように記録画像データは作成される。
【００３０】
また、米国では、一般的に使用される証明写真のサイズは、４５×３５ｍｍ及び４０×３０ｍｍであり、ハガキサイズの印画紙がプリンタで一般的に使用されている。これらの事情に鑑みて、本実施例のデジタルカメラ(1)では、英語(図３の「ＥＮＧＬＩＳＨ」)が表記言語として選択されている場合、図５(b)に示すように、ハガキサイズの印画紙(54)に記録画像を印刷すると、上段にて４５×３５ｍｍサイズの証明写真(55)が３箇所に、下段にて４０×３０ｍｍサイズの証明写真(56)が３箇所に形成されるように記録画像データは作成される。
【００３１】
日本語及び英語以外の言語が選択された場合も、その言語に応じて、記録画像における抽出画像の大きさ、即ち印画紙に印刷される証明写真のサイズが決定される。しかしながら。２以上の言語で、印画紙に印刷される証明写真のサイズが全くであってもよい。例えば、本実施例のデジタルカメラ(1)では、フランス語(図３における「ＦＲＡＮＣＡ ＩＳ」)が選択された場合でも、英語が選択された場合と全く同様にして記録画像データが作成される。
【００３２】
以下、証明写真モードにおけるデジタルカメラ(1)の動作について、図６のフローチャートに基づいて説明する。まず、撮影モードにおいて証明写真撮影モードが選択されると(Ｓ１)、ＣＰＵ(14)はＯＳＤ部(23)を駆動させて、図４(a)に示すようにＬＣＤモニタ(11)に証明写真用枠(41)を表示させる(Ｓ２)。証明写真用枠(41)は、抽出される領域に対応又はほぼ対応した長方形の第１枠(42)と、人物の頭部周辺を象った、第１枠(42)内に配置される第２枠(43)とで構成されている。
【００３３】
使用者は、被写体である人物の像が証明写真用枠(41)の第２枠(43)に適合するようにデジタルカメラ(1)を操作する。例えば、デジタルカメラ(1)を上下左右に動かし、カメラ人物との間の距離を調整し、又は図示を省略したズーム釦を押すことによりズームレンズを移動させて構図を調節する。使用者は、適切な構図が得られるとレリーズ釦(12)を押す。ＣＰＵ(14)は、システムコントローラ(13)からレリーズ釦(12)が押された旨の通知があったか否かを判断しており(Ｓ３)、その旨の通知があると、上記のようにタイミングジェネレータ(4)を駆動させて、イメージセンサ(3)の全画素から電荷が読み出される。イメージセンサ(3)から出力された画像信号は、撮影画像データに変換された後に信号処理回路(7)で処理されて、ＳＤＲＡＭ(9)の第１記憶領域に記憶される(Ｓ４)。また、ＣＰＵ(14)は、メモリコントローラ(8)を駆動して、ＳＤＲＡＭ(9)の第２記憶領域に、撮影画像データと同サイズである、全面白色の画像を示す白色画像データを記憶する(Ｓ５)。例えば、撮影画像データがＵ−ＸＧＡ(１６００×１２００ピクセル)サイズであれば、そのサイズの画像データがＳＤＲＡＭ(9)の第２記憶領域に記憶される。
【００３４】
ステップＳ５の後、ＣＰＵ(14)は、フラッシュメモリ(22)に記憶された選択言語情報を参照して、撮影画像から画像を抽出する領域、即ち、撮影画像データから一部のデータを取り出す領域と、抽出画像、即ち、取り出したデータ(以下、「抽出画像データ」と称す)の縦及び横方向の縮小率とを決定する(Ｓ６)。例えば、フラッシュメモリ(22)には、図３の言語選択画面(33)に示す各言語に応じて、抽出画像データの取り出し領域及びこれら縮小率を定めたテーブルが記憶されており、ＣＰＵ(14)は、そのテーブルを参照することにより、ステップＳ６にて決定を行う。
【００３５】
ステップＳ６の後、撮影画像データから抽出画像データを取り出す処理が行われる(Ｓ７)。この処理において、上述の証明写真用枠(41)内の領域又は該領域とほぼ等しい部分が、抽出画像として撮影画像から切り出されるように、抽出画像データの取り出しが行われる。図７(a)乃至(c)は、撮影画像データからの抽出画像データの取り出しを説明する説明図である。選択言語が日本語である場合を例にすると、ステップＳ７では、図５(a)に示す４０×３０ｍｍサイズの証明写真(52)に対応して、図７(a)に示すように、撮影画像(61)における網線で示す領域の画像(62)に対応するデータが、抽出画像データとして撮影画像データから取り出される。この抽出画像(62)は、撮影画像(61)の左上隅から撮影画像(61)の横幅のａ％分右に、撮影画像(61)の縦幅のｂ％分下に移動した点Ｘを基準として、右方向に横幅のｃ％、下方向に縦幅のｄ１％の範囲となっている。
【００３６】
ステップＳ７の後、抽出画像(62)、即ち抽出画像データは、変倍回路(26)にて縮小処理を施される(Ｓ８)。図７(a)に示す例では、抽出画像(62)の横幅が、撮影画像(61)(又はステップＳ５で記録した画像。以下同様)の横幅のｅ(＜ｃ)％に、抽出画像(62)の縦幅が、撮影画像(61)の縦幅のｆ(＜ｄ１)％になるように、抽出画像データは縮小処理される。
【００３７】
縮小処理された抽出画像データ(以下、「縮小データ」と称す)は、一旦ＳＤＲＡＭ(9)の第１記憶領域に記憶された後に読み出されて、ＳＤＲＡＭ(9)の第２記憶領域に記憶された白色画像データと合成される(Ｓ９)。図８(a)に示すように、白色画像(71)において、白色画像(71)の左上隅から白色画像(71)の横幅のＡ％分右に、白色画像(71)の縦幅のＢ％分下に移動した点Ｙに、縮小された抽出画像(62)の左上隅が配置されるように、縮小データは、白色画像データと合成される。言い換えると、縮小された抽出画像(62)は、その左上隅が点Ｙに位置するように、白色画像(71)に貼り付けられる。なお、フラッシュメモリ(22)には、Ａ及びＢの値が記憶されており、ＣＰＵ(14)は、それらを参照して処理を行う。
【００３８】
ステップＳ９の後、ＣＰＵ(14)によって、一連の縮小データの合成が全て完了したか、即ち記録画像データの作成が完了したか否かが判断される(Ｓ１０)。縮小データの合成が完了していない場合、現在ＳＤＲＡＭ(9)の第１記憶領域に記憶されている縮小データを所定回数合成したか否かが判断される(Ｓ１１)。縮小データを所定回数合成していない場合、ＳＤＲＡＭ(9)の第１記憶領域から縮小データが読み出されて、ステップＳ９及びＳ１０が繰り返し行われる。
【００３９】
本実施例のデジタルカメラ(1)では、上記のように縮小データの合成が行われた後に縮小データの合成が再度行われると、白色画像(71)において、点Ｙから、該白色画像(71)の横幅のＣ％分右側に離れた点に、抽出画像(62)の左上隅が配置されるように、抽出画像(62)の縮小データは、白色画像データと合成される。さらに、縮小データの合成が行われると、白色画像(71)において、点Ｙから、該白色画像(71)の横幅の２×Ｃ％分右側に離れた点に、抽出画像(62)の左上隅が配置されるように、縮小データは、白色画像データと合成される。フラッシュメモリ(22)にはＣの値が記憶されており、ＣＰＵ(14)は、それを参照して処理を行う。
【００４０】
ステップＳ１１にて、縮小データを所定回数(本実施例では３回)合成したと判断された場合、ステップＳ７が再度行われる。選択言語が日本語である場合、再度行われるステップＳ７では、図５(a)に示す３０×２４ｍｍサイズの証明写真(53)に対応して、図７(b)に示すように、右下に傾斜した斜線で示す領域の画像(63)が、撮影画像(61)から抽出される。この抽出画像(63)は、点Ｘを基準として、右方向に横幅のｃ％、下方向に縦幅のｄ２(＜ｄ１)％の範囲となっている。
【００４１】
再度行われたステップＳ７で取り出された抽出画像データも、先と同様に変倍回路(26)にて縮小処理が施される(Ｓ８)。図７(b)に示すように、抽出画像(63)の横幅が、撮影画像(61)の横幅のｇ(＜ｃ)％に、抽出画像(63)の縦幅が、撮影画像(61)の縦幅のｈ(＜ｄ２)％になるように、抽出画像データは縮小処理されて、縮小データが作成される。
【００４２】
先と同様に、縮小データは、一旦ＳＤＲＡＭ(9)の第１記憶領域に記憶された後に読み出されて、ステップＳ９にて、ＳＤＲＡＭ(9)の第２記憶領域に記憶された白色画像データと合成される。図８(a)に示すように、白色画像(71)の左上隅から白色画像(71)の横幅のＥ(＞Ａ)％分右に、白色画像(71)の縦幅のＢ＋Ｄ(Ｄ＞ｆ)％分下に移動した点Ｚに、抽出画像(63)の左上隅が配置されるように、縮小データは、白色画像データと合成される。フラッシュメモリ(22)には、Ｅ及びＤの値が記憶されており、ＣＰＵ(14)は、それらを参照して処理を行う。
【００４３】
２度目に作成した縮小データも、ＳＤＲＡＭ(9)の第１記憶領域から、所定回数(本実施例では３回)読み出されて、ステップＳ９及びＳ１０が繰り返し行われる。ステップＳ９が繰り返されることにより、白色画像(71)において、点Ｚから、該白色画像(71)の横幅のＣ(＞ｇ)％分右側に離れた点に、抽出画像(63)の左上隅が配置されるように、さらに、点Ｙから、白色画像(71)の横幅の２×Ｃ％分右側に離れた点に、抽出画像(63)の左上隅が配置されるように、縮小データは、白色画像データとさらに２回合成される。これにて、記録画像データが完成する。
【００４４】
ステップＳ１０にて、一連の縮小データの合成が全て完了したと、即ち記録画像データの作成が完了したと判断されると、記録画像データは、ＳＤＲＡＭ(9)の第２記憶領域から読み出される。記録画像データは、ＪＰＥＧコーデック部(15)にて圧縮処理された後、メモリカード(17)に記憶されて(Ｓ１２)、証明写真用の記録画像の作成及び記録が終了する。
【００４５】
表記言語が英語である場合、記録画像、即ち記録画像データの作成は以下のように行われる。図８(b)は、この場合に作成される記録画像を示す説明図である。網線で示す抽出画像(62)は、図５(b)に示す４５×３５ｍｍサイズの証明写真(55)に対応している。本実施例のデジタルカメラでは、抽出画像(62)は、記録画像において、表記言語が日本語である場合と同様の大きさ及び配置になっている。より具体的には、表記言語が英語である場合でも、図７(a)を用いて説明したように撮影画像データから抽出画像データの取り出し及び縮小処理が行われて、図８(a)を用いて説明したように縮小データの合成が行われる。これは、選択言語が英語である場合、印刷される印画紙(54)がハガキサイズであることを想定して、記録画像データを作成していることによる。Ｌ版の印画紙に印刷された記録画像は、ハガキサイズの印画紙に印刷された記録画像よりも大きくなるので、表記言語が英語である場合に、このように記録画像データを作成すると、ハガキサイズの印画紙(54)に印刷した場合に、４５×３５ｍｍサイズの証明写真(55)が得られる。
【００４６】
表記言語が英語である場合、図６に示すステップＳ７にて、図５(b)に示す４０×３０ｍｍサイズの証明写真(56)に対応して、図７(c)に示すように、撮影画像(61)にて右上に傾斜した斜線で示す領域の画像(64)に対応するデータが、撮影画像データから取り出される。抽出画像(64)は、点Ｘを基準として、右方向に横幅のｃ％、下方向に縦幅のｄ３(＞ｄ１)％の範囲となっている。抽出画像データは、ステップＳ８にて、縮小処理される。図７(c)に示す例では、抽出画像(64)の横幅が、撮影画像(61)の横幅のｇ％に、抽出画像(64)の縦幅が、撮影画像(61)の縦幅のｉ(＜ｄ３)％になるように、抽出画像データは縮小処理される。縮小データは、ＳＤＲＡＭ(9)の第１記憶領域に記憶されて、先と同様に、適宜読み出されて第２記憶領域に記憶された白色画像データと合成される。
【００４７】
本発明の撮像装置では、１枚の印画紙に１枚の証明写真が印刷されるように記録画像が作成されてもよいが、印画紙の有効活用と撮影回数を減らすために、本実施例のデジタルカメラ(1)のように、１枚の印画紙に複数の証明写真が印刷されるのが好ましい。また、本発明の撮像装置では、１枚の印画紙に同一サイズの複数の証明写真が印刷されるように記録画像が作成されてもよいが、本実施例のデジタルカメラ(1)のように、１枚の印画紙に２以上のサイズの証明写真が印刷されるのが好ましい。なお、各表記言語において、記録画像に形成される抽出画像の数は異なっていてもよい。
【００４８】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【００４９】
【図１】本発明の一実施例であるデジタルカメラの構成を示すブロック図である。
【図２】本発明の一実施例であるデジタルカメラの再生モードオプション画面を示す説明図である。
【図３】本発明の一実施例であるデジタルカメラの言語選択画面を示す説明図である。
【図４】図４(a)は、証明写真撮影モードにて証明写真用枠を表示した本発明の一実施例であるデジタルカメラの背面図、図４(b)は、再生モードにて証明写真用の記録画像を表示した同背面図である。
【図５】図５(a)及び(b)は、本発明の一実施例であるデジタルカメラで作成された証明写真用の記録画像が、印画紙に印刷された状態を示す説明図である。
【図６】本発明の一実施例であるデジタルカメラの動作を示すフローチャートである。
【図７】図７(a)乃至(c)は、本発明の一実施例であるデジタルカメラで行われる撮影画像データからの抽出画像データの取り出し及びその縮小処理を模式的に示す説明図である。
【図８】図８(a)及び(b)は、本発明の一実施例であるデジタルカメラの記録画像を示す説明図である。
【符号の説明】
【００５０】
(1)     デジタルカメラ
(11)    ＬＣＤモニタ
(14)    ＣＰＵ
(17)    メモリカード
(22)    フラッシュメモリ
(26)    変倍回路
(33)    言語選択画面
(61)    撮影画像
(62-64) 抽出画像
【図１】
2005303404.tif 000003
【図２】
2005303404.tif 000004
【図３】
2005303404.tif 000005
【図４】
2005303404.tif 000006
【図５】
2005303404.tif 000007
【図６】
2005303404.tif 000008
【図７】
2005303404.tif 000009
【図８】
2005303404.tif 000010